(57)【要約】【課題】自動車エンジンのシリンダヘッドに取り付けられるバルブロッカーアームのように、形状の違いを目視で判別できない部品について、その種別を簡単かつ迅速に判別でき、誤選択を防止することのできる治具を提供する。【解決手段】類似形状を有する２種類の部品の誤選択を防止するための治具であって、薄板に、一方の部品の外形に合わせた孔が、等間隔かつ一列に並んで２つ以上形成され、また、前記孔の列と並行して、他方の部品の外形に合わせた孔が、同様に等間隔かつ一列に並んで２つ以上形成されている。また、上記部品の外形に合わせた孔の列ごとに、薄板上に部品名の表記および異なる色による着色がされている。【選択図】  図２
2004283751.tif 000002
【特許請求の範囲】
【請求項１】
類似形状を有する部品の誤選択を防止するための治具であって、この治具は、薄板に正規部品の外形に合わせた孔が等間隔かつ一列に並んで２つ以上形成されていることを特徴とする部品誤選択防止用治具。
【請求項２】
類似形状を有する２種類の部品の誤選択を防止するための治具であって、この治具は、薄板に一方の部品の外形に合わせた孔が等間隔かつ一列に並んで２つ以上形成され、また、前記孔の列と並行して、他方の部品の外形に合わせた孔が同様に等間隔かつ一列に並んで２つ以上形成されていることを特徴とする部品誤選択防止用治具。
【請求項３】
類似の非対称形状を有する２種類の部品の誤選択を防止するための治具であって、この治具は、薄板に一方の部品の外形に合わせた孔が等間隔かつ一列に並んで２つ以上形成され、また、前記孔の列と並行して、他方の部品の外形に合わせた孔が、前記一方の部品と反対の向きに等間隔かつ一列に並んで２つ以上形成されていることを特徴とする部品誤選択防止用治具。
【請求項４】
請求項２または請求項３に記載の部品誤選択防止用治具において、部品の外形に合わせた孔の列ごとに、薄板上に部品名の表記および／または異なる色による着色がされていることを特徴とする部品誤選択防止用治具。
【発明の詳細な説明】
【０００１】
【発明の属する技術分野】
本発明は、目視で判別しにくい複数の類似部品が存在する状況、たとえば自動車用エンジンのシリンダヘッドに取り付けられる２種のバルブロッカーアーム等を明確に判別し、それらの誤選択を防止するための治具に関する。
【０００２】
【従来の技術】
目視で判別しにくい複数の類似部品を選別する方法は古くからいろいろ試みられてきた。特許文献１には、多種の材料部品を諸種の自動加工機械に供給する際に、部品の形状によって分別することのできる自動部品方向選別器が記載されている。
【０００３】
また特許文献２には、左右非対称の平歯車の表裏を選別する装置が記載されている。この装置は、ボウル中に選別用孔と基準歯車とが組み合わされた構成を有しており、選別対象の歯車が基準歯車の歯と噛合わない場合のみ選別用孔に落ちる仕掛けになっている。
【０００４】
さらに特許文献３には、圧縮空気を利用した部品判別装置が記載されている。本装置では、部品搬送路上の底面に複数の貫通孔を設けておき、貫通孔を塞ぐ形状の部品、すなわち次工程に送り込まれたくない部品は圧縮空気により吹き飛ばされる。
【０００５】
たとえば自動車用エンジンのシリンダヘッドに取り付けられるバルブロッカーアーム（以下、「アーム」と略称する場合がある。）のような部品については、一つのエンジンに吸気孔用、排気孔用の２種のものを使用する。製造工程において２種のアームが混在する恐れはないため上記各文献に記載のような選別の必要はない。製造されたアームは等間隔複数列で、たとえば一列１２個、６列の計７２個のセットの形で梱包場に送られる。
【０００６】
梱包場では、送られてきた吸気孔用アームおよび排気孔用アームの２種のセットから、各１〜８個（取出し個数は、エンジンの気筒数により異なる）のアームを取り出し、パッケージに詰めて国内外の工場に配送する。パッケージ詰めの際のアームの確認については、２種のアームの形状の違いは微妙で目視で判別することができないため、従来、梱包仕様作業手順書に記載されているアームの型番との照合や写真との照合が行なわれていた。
【０００７】
しかし、この照合作業には時間が掛かる難点があった。また、本来、２種のセットから決まった数のアームを取出してパッケージするだけであるから人為的なミスは少ないが、それでも１００万個のパッケージを作ると数十件のミスがあり、それが誤選択されて組立工場でトラブルをおこす原因となっていた。
【０００８】
【特許文献】
特許文献１：実公昭３９−９４７０号（考案の詳細な説明冒頭部、第１図〜第４図）
特許文献２：実開昭５５−１２５２１３号（考案の詳細な説明第２頁第１６行〜第３頁第１４行）
特許文献３：特開昭５４−１３４６６１号（特許請求の範囲。第３頁左下欄第１３行〜第１６行）
【０００９】
【発明が解決しようとする課題】
本発明の目的は、自動車エンジンのシリンダヘッドに取り付けられるバルブロッカーアームのように、形状の違いを目視で判別できない部品について、その種別を簡単かつ迅速に判別でき、誤選択を防止することのできる治具を提供することにある。
【００１０】
【課題を解決するための手段】
本発明の部品誤選択防止用治具は、類似形状を有する部品の誤選択を防止するための治具であって、薄板に、正規部品の外形に合わせた孔が等間隔かつ一列に並んで２つ以上形成されていることを特徴とする。
【００１１】
また、本発明の部品誤選択防止用治具は、類似形状を有する２種類の部品の誤選択を防止するための治具であって、薄板に、一方の部品の外形に合わせた孔が等間隔かつ一列に並んで２つ以上形成され、また、前記孔の列と並行して、他方の部品の外形に合わせた孔が、同様に等間隔かつ一列に並んで２つ以上形成されていることを特徴とする。なお、上記の部品の外形に合わせた孔の列ごとに、薄板上に部品名の表記および／または異なる色による着色がされていることが好ましい。
【００１２】
さらに、本発明の部品誤選択防止用治具は、類似の非対称形状を有する２種類の部品の誤選択を防止するための治具であって、薄板に、一方の部品の外形に合わせた孔が等間隔かつ一列に並んで２つ以上形成され、また、前記孔の列と並行して、他方の部品の外形に合わせた孔が、前記一方の部品と反対の向き（たとえば、一方の部品が→形の形状である場合、他方の部品は←形の向きとする）に等間隔かつ一列に並んで２つ以上形成されている。
【００１３】
なお、上記の部品の外形に合わせた孔の列ごとに、薄板上に部品名の表記および／または異なる色による着色がされていることが好ましい。
【００１４】
【発明の実施の形態】
以下に本発明の実施の形態を図面に基づいて説明する。図１は本発明の部品誤選択防止用治具の一例を示す平面図である。
図１において、部品誤選択防止用治具１は、ダンボール紙、ボール紙、ベニヤ板、プラスチック板等から適宜選択した薄板２に、梱包・配送を予定しているバルブロッカーアーム等の正規部品３の外形に合わせた孔４が等間隔で１列に並んで形成されている。
【００１５】
ここで上記等間隔の孔４は、部品製造場から送られてくる部品のセット（たとえば一列１２個、６列の計７２個が等間隔に並べられている）における正規部品３の一列１２個の間隔に合わせて１２個設定することができる。また、薄板２上には、正規部品３の型番表示部５を設けることが好ましい。
【００１６】
治具１を使用して正規部品３のパッケージを作成するには、部品製造場から送られてきた上記部品のセットの列上に治具１を重ね、部品の外形と孔４とが一致するかどうかを確かめる。この場合、重ねる列はどこであっても良い。そして、もし部品が孔４にうまく収まらなかったり、収まっても孔４との間に隙がある場合は、この部品は正規部品３でないことが判断できる。そして部品セットが正規部品３であることが確かめられた場合には、パッケージの作成に入る。
【００１７】
治具１は、部品の種類ごとに作成し、それぞれ異なった色に着色すれば、型番表示部５を判読できない人が梱包作業を行なう場合であっても、各部品用治具の色を記憶しておくことで支障なく判別することができる。
【００１８】
図２は本発明の部品誤選択防止用治具の他の一例を示す平面図である。図２において、部品誤選択防止用治具１０は、図１に示した治具１と同様の材料の薄板１２で作成されている。
そして薄板１２には、梱包・配送を予定しているバルブロッカーアーム等の２種の部品１３ａおよび図示しない部品１３ｂの外形に合わせた孔１４ａ、１４ｂがそれぞれ等間隔で１列ずつ並行して形成されている。ここで上記等間隔の孔１４ａ、１４ｂは、部品製造場から送られて来る部品のセット（たとえば一列１２個、６列の計７２個の部品１３ａが等間隔に並べられている。本図ではそのセットの一部を示している。）に合わせて形成する。すなわち、部品１３ａの外形一列１２個の間隔に合わせて１２個の孔１４ａを設け、この列と並行した同間隔、同数の孔１４ｂを一列に設ける。
【００１９】
また、部品１３ａおよび部品１３ｂは類似形状を有するため、図２に示すように、部品１３ａ判別用の孔１４ａは右傾斜形に形成し、部品１３ｂ判別用の孔１４ｂは左傾斜形に形成することが好ましい。この場合、アームの製造場において、部品１３ａは右傾斜方向にセットし、部品１３ｂは左傾斜方向にセットしてパッケージを行なう梱包場へこれらセットを送る必要がある。このように、左右非対称（部品の形状によっては上下非対称でもよい）に孔１４ａ、１４ｂを形成すれば、判別作業をより簡単・迅速に行なうことができる。
【００２０】
薄板１２上には、両部品１３ａ、１３ｂの型番表示部１５ａ、１５ｂをそれぞれ設けることが好ましい。また、孔１４ａの列と、孔１４ｂの列とは、それらの周辺の薄板１２の色を違えて置くことが好ましい。このように色を変えておけば、型番表示部１５ａ、１５ｂを判読できない人が梱包作業を行なう場合であっても、部品と色との組み合わせを記憶しておくことで支障なく判別することができる。
【００２１】
次に、治具１０を使用して部品１３ａ、１３ｂを組み合わせたパッケージを作成する方法を説明する。先ず、部品製造場から送られてきた上記部品のセットの部品の列上に治具１０を重ね、部品の外形と合う孔が孔１４ａまたは孔１４ｂのどちらであるかを判定する。なお、判定後も治具１０は部品に重ねたままにしておく。同様に、送られてくる他のセットについても、別の治具１０を使って調べ、治具１０を重ねたままにしておく。こうして判別した部品１３ａのセットと部品１３ｂのセットとをそれぞれ治具１０が重なった状態で用意し、それぞれのセットから必要な個数、たとえば４気筒用のエンジンであれば部品１３ａ、１３ｂを４個ずつ取出してパッケージに詰め、でき上がった梱包品を配送に回す。
【００２２】
【発明の効果】
本発明の部品誤選択防止用治具は、パッケージに詰めようとする部品の外形に合わせた孔の列を設けた薄板であり、この治具を使って梱包作業を行なえば、異種の部品が紛れ込んだ場合でも治具の孔の外形が合わないため直ぐに気付く。したがって、誤ってパッケージに詰めて誤選択する心配がない。
【００２３】
また、類似形状を有する２種類の部品の誤選択を防止するための本発明の治具は、薄板に、一方の部品の外形に合わせた孔の列と、他方の部品の外形に合わせた孔の列とが並行して設けてある。したがって、この治具を使って梱包作業を行なえば、２つの種類の部品を、それぞれ間違いなく拾い出し、パッケージに詰めることができる。
【００２４】
また、上記一方の部品の列と他方の部品の列周辺の薄板の色をそれぞれ異なった色に着色することにより、型番等の識別ができない人であっても誤った部品をパッケージに詰める心配がない。
【００２５】
したがって、自動車用エンジンのシリンダヘッドに取り付けられる２種のバルブロッカーアームをパッケージに詰めて国内外の工場へ配送する場合、極めて短時間に正しいアームを詰め合わすことができるため作業効率が上昇し、また、誤配送がなくなることによって組立工場におけるトラブルも避けることができる。
【図面の簡単な説明】
【図１】本発明の部品誤選択防止用治具の一例を示す平面図である。
【図２】本発明の部品誤選択防止用治具の他の一例を示す平面図である。
【符号の説明】
１，１０…部品誤選択防止用治具、２，１２…薄板、３…正規部品、１３ａ，１３ｂ…部品、４，１４ａ，１４ｂ…孔、５，１５ａ，１５ｂ…型番表示部。
【図１】
2004283751.tif 000003
【図２】
2004283751.tif 000004